(57)【要約】【課題】白色ＬＥＤ光源を用いてヒトの眼疲労や聴覚を介した認知・判断力の低下を抑制する。【解決手段】青色ＬＥＤ素子と、該ＬＥＤ素子の光を放射する側に配置された前記青色ＬＥＤ素子の発光波長より長い波長の蛍光を発する蛍光体とからなる白色ＬＥＤパッケージを光源とし、前記白色光ＬＥＤパッケージの光を放射する側に集光レンズを配置した照明装置であって、４２０ｎｍ乃至４５０ｎｍに青色ＬＥＤに起因する第１のピークと、６００ｎｍ乃至６８０ｎｍにブロードな第２のピークを有するとともに、４８０ｎｍ乃至５００ｎｍに肩部が形成されており、ヒトの視覚誘導電位（Ｆ−ＶＥＰ  Ｐ１００波）の出現潜時の変化、および／または聴覚誘導電位（Ｐ３００波）の遅延を実質的に増大しない光を照射する照明装置。【選択図】図５
2012221937.tif 000002
【特許請求の範囲】
【請求項１】
白色光ＬＥＤパッケージを光源とし、ヒトの視覚誘導電位（Ｆ−ＶＥＰ  Ｐ１００波）の出現潜時の変化および／または聴覚誘導電位（Ｐ３００波）の出現潜時の遅延を実質的に増大しない光を照射する照明装置。
【請求項２】
前記白色光ＬＥＤパッケージが、青色ＬＥＤ素子と、該ＬＥＤ素子の光を放射する側に配置された前記青色ＬＥＤ素子の発光波長より長い波長の蛍光を発する蛍光体とを備え、前記白色光ＬＥＤパッケージは、分光エネルギーが、波長４００ｎｍ乃至８００ｎｍの可視光領域において連続したスペクトラムを有し、かつ、４２５ｎｍ乃至４６５ｎｍに青色ＬＥＤ素子に起因する第１のピークと、６００ｎｍ乃至６８０ｎｍに蛍光体に起因するブロードな第２のピークを有するとともに４８０ｎｍ乃至５００ｎｍに肩部を形成する光を放射することを特徴とする請求項１に記載の照明装置。
【請求項３】
前記スペクトラムにおいて、前記第２のピークの分光エネルギー強度が、前記第１のピークに対して１乃至３倍であり、前記肩部に対して１乃至３倍であることを特徴とする請求項２記載の照明装置。
【請求項４】
前記青色ＬＥＤ素子がサファイアベース窒化ガリウム系材料からなり、前記蛍光体がシリカ系材料から選ばれる１種または２種以上の材料からなることを特徴とする請求項１乃至請求項３のいずれか１項記載の照明装置。
【請求項５】
前記白色ＬＥＤパッケージを直列に接続した直列接続支を複数並列に接続したものを同心円状に配置し、ＬＥＤパッケージの光を放射する側に集光レンズを設け、ヒトの視覚誘導電位（Ｆ−ＶＥＰ  Ｐ１００波）出現潜時の変化および／または聴覚誘導電位（Ｐ３００波）の遅延を実質的に増大させないようにしたことを特徴とする請求項１乃至請求項４のいずれか１項に記載の照明装置。
【請求項６】
前記白色ＬＥＤパッケージに直列にスイッチング素子を接続し、該スイッチング素子をパルス幅制御により制御する電源装置および調光回路を備えることを特徴とする請求項１ないし請求項５のいずれか１項に記載の照明装置。
【請求項７】
前記照明装置が、卓上照明装置または屋内照明装置もしくは車内照明装置であることを特徴とする請求項１ないし請求項６のいずれか１項に記載の照明装置。
【発明の詳細な説明】
【技術分野】
【０００１】  本発明は、ＬＥＤ（発光ダイオード）を光源とする、ヒトの視覚誘導電位（Ｆ−ＶＥＰＰ１００波）の出現潜時の変化、および／または聴覚誘導電位（Ｐ３００波）の遅延を実質的に増大しない光を輻射する照明装置に関する。ここでＦ−ＶＥＰ  Ｐ１００波の出現潜時は変化しないこと、すなわちＦ−ＶＥＰ  Ｐ１００波の出現潜時が長くも短くもならないことが、眼疲労が小さいことを意味し、Ｐ３００波の出現潜時は遅延しないことが、視覚を介した認知・判断力の低下が低いこと、すなわちＰ３００波の出現潜時の遅延が短いほど認知・判断力が高いことを意味する。
【背景技術】
【０００２】  本出願人等は、眼科領域における障害や疾病の臨床検査に使用される視覚誘発電位（ＶＥＰ）に着目した照明と眼疲労との研究に基づき、視作業により眼疲労が発生すると前記ＶＥＰにおけるＰ１００波の出現潜時が遅延する現象を見出し、同時に、Ｐ１００波の出現潜時の遅延が眼疲労の進行に応じて増大することから遅延の増大を測定することにより、照明に基づく眼疲労を定量化しうる事実を見出した。そして、本出願人等は、これらの知見に基づき、ヒトのＶＥＰにおけるＰ１００波の出現潜時を実質的に遅延しない光を照射する照明装置を提案している（例えば、特許文献１参照）。この照明装置は、眼疲労を起こし難い光を照射する発明であって、その光源としてキセノンガス封入白熱電球に定格電圧の１０５〜１４０％の直流電圧を印加することによって、ＶＥＰにおけるＰ１００波の出現潜時を実質的に遅延しない光源としている。さらに、光源としては、多波長域発光形蛍光灯などの高演色性蛍光灯、キセノン放電灯などの放電灯を挙げている。【０００３】  さらに、本出願人等は、照明に使用してストレスを起こしにくい照明装置を提供することを目的として、内科領域においてクッシング症候群や副腎腫瘍の臨床検査方法として知られている副腎皮質刺激ホルモン（ＡＣＴＨ）に着目して照明とストレスの関係について研究した。その結果、ストレスが起こると、ヒトの血液におけるＡＣＴＨレベルが上昇する現象を見出し、このＡＣＴＨレベルの上昇はストレスの大きさに応じて増大することから、血液におけるＡＣＴＨレベルを測定することにより、照明によるストレスの起こしやすさを定量化することを見出した。なお、ＡＣＴＨは下垂体前葉から分泌される３９個のアミノ酸からなる分子量約４，５００のペプチドホルモンであり、副腎皮質におけるステロイドホルモンの生産・分泌を促す物質である。また、ヒトの血液におけるＡＣＴＨレベルには日内変動があり、早朝最高レベルに達し、以後深夜に向けて漸減することが知られている。【０００４】  上記知見に基づき、本出願人等が種々の光源を検索した結果、ヒトの血液におけるＡＣＴＨレベルを実質的に上昇させない光は、照明に使用してストレスを起こし難く、快適な照明空間を指向する照明装置に好適であることが判明した。【０００５】  本出願人等は、この結果に基づき、クリプトンガスおよび窒素ガスを含んでなる組成物、またはキセノンガスおよび窒素ガスを含んでなる組成物を封入した白熱電球であって、点灯時に波長約２９０ｎｍ乃至４００ｎｍの紫外線に富む光を輻射することができる白熱電球と、その白熱電球をその定格の約１０５％乃至１３０％以下の直流電圧下で付勢する電源手段とを備え、ヒトの血液における副腎皮質刺激ホルモンレベルを実質的に上昇させない光を輻射する照明装置を提供している。（例えば、特許文献２参照）【０００６】  さらに、本出願人等は、クリプトンガスおよび窒素ガスを含んでなる組成物、またはキセノンガスおよび窒素ガスを含んでなる組成物を、点灯時に白熱電球内圧が約７００トール乃至８００トールになるように封入した白熱電球と、その白熱電球をその定格の約１０５％乃至１３０％以下の直流電圧下で付勢する電源手段とを備え、ヒトの事象関連��位（聴覚誘導電位）におけるＰ３００波の出現潜時を実質的に遅延させない光を輻射する照明装置を提供している（例えば、特許文献３参照）。【０００７】  また、本出願人等は、ヒトのセロトニン神経系を活性化させて、血中のノルアドレナリンレベルを実質的に上昇させず、攻撃性を低下させていわゆる「キレる」状態になる要因を低減する作用を有する光を輻射する照明装置の発明について、出願している（例えば、特許文献４参照）。【０００８】  この発明では、波長３８０ｎｍ以上７８０ｎｍ以下の可視光成分とともに、波長３２０ｎｍ以上３８０ｎｍ未満の近紫外線を含む光が、ヒトのセロトニン神経系を活性化する作用を有すること、さらにこの光が血中のノルアドレナリンレベルを実質的に向上させない作用を有することを見出し、そのような光を輻射する光源を用いた照明装置を通常の夜間または室内の照明として用いると、ヒトのセロトニン神経系を活性化し、血中のノルアドレナリンレベルを実質的に向上させず、ヒトが「キレる」状態になる要因を低減させることを見出して発明を完成させている。【０００９】  また、最近は、ＬＥＤ（発光ダイオード）を光源とする照明装置が、発光効率が高く消費電力が低い、長寿命である、サイズが小さく取り扱いやすい、水銀等の有害物質を含まない、熱の発生が比較的小さい等の利点があることから、白熱電球や蛍光灯等の従来の照明装置に替えて照明用途としての普及が広がっている。【００１０】  しかしながら、特許文献１乃至３には、ＬＥＤを光源とした照明装置で、上記の効果を奏するものは開示されていない。また特許文献４においては、ＬＥＤを光源とする照明装置が例示されているものの、青色ＬＥＤ素子と該素子が放射する光により蛍光を発する蛍光体とを組み合わせた白色光ＬＥＤの放射する光により、眼疲労や認知・判断力の低下が軽減されることは示されていない。
【先行技術文献】
【特許文献】
【００１１】
【特許文献１】特許第３２３０００３号公報
【特許文献２】特許第２９３４９２３号公報
【特許文献３】特許第２９３４９２６号公報
【特許文献４】国際公開番号ＷＯ２０１０／０４１７１７Ａ１
【非特許文献】
【００１２】
【非特許文献１】「臨床脳波学第４版」大熊輝雄、医学書院、１９９１年１１月１５日、「２３脳脊髄誘発電位、事象関連電位」Ｐ４４３〜４４５、「視覚誘発電位」Ｐ４６１〜４６８、「事象関連電位」Ｐ４６８〜４７４
【発明の概要】
【発明が解決しようとする課題】
【００１３】  上記特許文献などに示されるように、特定の光が、ヒトの副腎皮質刺激ホルモン（ＡＣＴＨ）のレベルを抑えてストレスを軽減し、目の疲労や認知・判断力の低下を起こし難いという効果を奏することも確認されている。しかし、青色発光ＬＥＤ素子による青色光と、青色光で励起された蛍光体からのより長波長の光により白色光を放射するＬＥＤや有機ＥＬを光源に用いた場合にも、こうした眼疲労や聴覚を介した認知・判断力の低下が軽減されることの確認はこれまで行われていない。本発明は、ＬＥＤを用いた光源においてもヒトの眼疲労や認知・判断力の低下を抑制することができる照明装置を提供することを目的とする。
【課題を解決するための手段】
【００１４】  本発明は、光源に青色発光ＬＥＤ素子による青色光と、青色光で励起された蛍光体からのより長波長の光により白色光を放射するＬＥＤを用いた照明装置であり、実質的にヒトの眼疲労の指標となる視覚誘導電位（Ｆ−ＶＥＰ  Ｐ１００波：視覚刺激に対する脳の反応）の出現潜時の変化および／または認知・判断力低下の指標となる聴覚誘導電位（Ｐ３００波）の出現潜時の遅延を実質的に増大させない光を放射することを特徴とし、眼疲労や認知・判断力の低下を生じ難いという作用効果を奏するものである。本明細書における脳波については、非特許文献１を参照。【００１５】  本発明は、上記作用効果を奏するために、後述する特性を有するＬＥＤ素子からなる光源を用いて、照明装置を構成する。本発明にかかる照明装置は、卓上照明、シーリングライト等の室内、屋外、車内等で用いられる種々の照明とすることができる。【００１６】光源となるＬＥＤは、青色発光ＬＥＤ素子と蛍光体を組み合わせた白色光を発するＬＥＤ（以下白色光ＬＥＤと称する）で、青色発光ＬＥＤ素子による青色光と、青色光で励起された蛍光体からのより長波長の光により、全体として上記作用効果を奏する白色光を得ている。青色発光ＬＥＤ素子はサファイアベース窒化ガリウム系の材料からなる４２５ｎｍ乃至４６５ｎｍの光を放射するＬＥＤ素子であり、前記蛍光体はシリカ系の材料からなり、青色ＬＥＤの発光に励起されて６００ｎｍ乃至６８０ｎｍにピークを有する蛍光を発するものである。なお、本明細書においては、青色ＬＥＤ素子、蛍光体、電極、封入剤などの部材から構成され白色光を発する部品を「白色光ＬＥＤパッケージ」と称する。【００１７】  本発明は、照明装置において、白色光ＬＥＤパッケージを光源とし、ヒトの視覚誘導電位（Ｆ−ＶＥＰ  Ｐ１００波）の変化および／または聴覚誘導電位（Ｐ３００波）の出現潜時の遅延を実質的に増大しない光を照射するようにした。【００１８】  本発明は、上記白色光ＬＥＤが、青色ＬＥＤ素子と、該ＬＥＤ素子の光を放射する側に配置された前記青色ＬＥＤ素子の発光波長より長い波長の蛍光を発する蛍光体とからなり、前記白色光ＬＥＤは、分光エネルギーが波長４００ｎｍ乃至８００ｎｍの可視光領域において連続したスペクトラムを有し、かつ、４２５ｎｍ乃至４６５ｎｍに青色ＬＥＤ素子に起因する第１のピークと、６００ｎｍ乃至６８０ｎｍに蛍光体に由来するブロードな第２のピークを有するとともに、４８０ｎｍ乃至５１０ｎｍに肩部を形成する白色光を放射するものとした。【００１９】  本発明は、前記白色光ＬＥＤが、並列に接続された３個のＬＥＤ素子と、これら３個のＬＥＤ素子の光を放射する側に配置した前記ＬＥＤ素子よりも長い波長の蛍光を発する蛍光体からなり、照射部が、複数の白色光ＬＥＤを直列に接続した直列接続支を複数並列に接続したものと、白色光ＬＥＤの光を放射する側に設けた集光レンズプレートおよび集光レンズから構成される照明装置とした。【００２０】  本発明は、上記白色光ＬＥＤに直列にスイッチング素子を接続し、該スイッチング素子をパルス幅制御により通電率を制御する電源装置および調光回路を備えた。【００２１】本発明の照明装置は、卓上照明装置、屋内照明装置��たは車内照明装置もしくは航空機室内、船内、屋外などの照明に用いることができ、照明の対象となる空間は、どのような空間であってもよい。照明の対象となる空間としては、その他、個人住宅、マンション、学校、スタジオ、美容院、病院、工場、社屋、事務所、旅館、ホテル、レストラン、宴会場、結婚式場、会議場、商店、スーパーマーケット、デパート、美術館、博物館、演奏会場、ホール、体育館、競技場、畜舎、鶏舎、養魚場、動物工場、植物工場などの各種施設の室内外の空間であってよい。また、アームライト、デスクランプ、ハリケーンランプ、テーブルランプ、ミニランプなどの卓上照明器具、あるいは、棚下付け灯、天井付け灯、ダウンライト、壁付け灯、吊り下げ灯、シャンデリア、スワッグランプ、フロアランプ、庭園灯、門灯などの室内外照明器具に収容するか取り付けるとともに、それら照明器具を住宅や施設における書斎、アトリエ、子供部屋、寝室、リビングルーム、ダイニングルーム、キッチン、トイレ、洗面所、浴室、廊下、階段、バルコニー、玄関、閲覧室、教室、ホール、ロビー、待合室、治療室、手術室、制御室、事務室、製図室、実験室、ラウンジ、客室、クラークルーム、調理室、運転室、飼育室、栽培室における室内外の適所に据付けるか取付ければよい。
【図面の簡単な説明】
【００２２】
【図１】図１は、本発明にかかるＬＥＤ光源を用いた照明装置の構成を説明する正面図である。
【図２】図２は、図１のＡ−Ａ線での断面図である。
【図３】図３は、本発明の照明ヘッドの底面図である。
【図４】図４は、集光レンズプレートにおける集光レンズとＬＥＤの配置を説明する図である。
【図５】図５は、本発明にかかるＬＥＤ光源のスペクトルを説明する図である。
【図６】図６は、本発明にかかるＬＥＤ回路の構成を説明する図である。
【図７】図７は、本発明にかかる駆動用電源回路の構成を説明する図である。
【図８】図８は、本発明にかかる操作スイッチの動作と照度の関係を説明するタイムチャートである。
【図９】図９は、本発明光と通常光のＦ−ＥＶＰ  Ｐ１００波の出現潜時の変化率を説明する図である。
【図１０】図１０は、本発明光と通常光のＰ３００波の出現潜時の変化率を説明する図である。
【図１１】図１１は、本発明光と近紫外線を含む光源のＦ−ＥＶＰ  Ｐ１００波の出現潜時の変化率を説明する図である。
【発明を実施するための形態】
【実施例】
【００２３】  本発明の第１の実施例にかかる白色光ＬＥＤ光源を用いた卓上照明装置の構成を、図１〜図４を用いて説明する。図１は卓上照明装置の正面図、図２は図１におけるＡ−Ａ線での断面図、図３は照明ヘッド部の底面図である。図４は集光レンズプレートにおけるＬＥＤ素子の配置と集光レンズの関係を説明する図である。【００２４】  卓上照明装置は、基台１と、アーム２と、照明ヘッド３とを有して構成される。基台１は、基盤１１と、アーム取付部１３と、操作スイッチ１５と、ターンテーブル機構１７とを有しており、さらに図示を省略した駆動用電源装置を基盤１１内に備えている。基盤１１はアーム２および照明ヘッド３を転倒させずに支持できる重さもしくは支持機構を有している。アーム取付部１３はアーム２を支持するとともにアーム２を前後に傾斜可能とする機構を備えている。操作スイッチ１５は照明装置を点滅させるとともに、ＬＥＤ光源の照度を変化させるスイッチである。ターンテーブル機構１７は、アーム２を左右に回転可能とする機構である。【００２５】  アーム２は、照明ヘッド３を支持する部材である。アーム２は例えば可撓性を有していない中空状の管２１に形成され、アーム取付部１３により前後に傾斜可能かつその角度維持可能とされている。アーム２の内部にはＬＥＤ素子に電力を供給する電線２３が収容される。【００２６】  照明ヘッド３は、合成樹脂製の集光レンズプレート３１と、合成樹脂を半球状に形成した集光レンズ３３と、ヘッドカバー３５と、アーム取付部３７とを有している。照明ヘッドの照射部は、集光レンズプレート３１、集光レンズ３３、および白色光ＬＥＤから構成される。集光レンズプレート３１は、図示を省略した白色ＬＥＤと白色光ＬＥＤの光を放射する側を覆って集光レンズ３３が設けられる透明な部材である。集光レンズプレート３１の集光レンズ３３以外の部分をスモーク加工して不透明とし背面に位置するＬＥＤ基板を隠している。集光レンズ３３は、背面に設けた白色光ＬＥＤからの光を集光し拡散させる働きを有している。ヘッドカバー３５は、照明ヘッド３の上面を覆う部材である。アーム取付部３７はアーム２の先端に照明ヘッドを取り付ける部材で、前後左右に移動可能とされている。集光レンズプレート３１には、このプレートを照明ヘッド３に取り付ける固定穴３９が複数個所設けられている。【００２７】  図４を用いて、照明ヘッド３の集光レンズプレート３１の構造を説明する。図４は集光レンズプレート３１の正面図（図３の下方向から見た図）である。集光レンズプレート３１には、一例として２４個の集光レンズ３３が同心円状に設けられている。集光レンズ３３の背面には白色ＬＥＤがそれぞれ１個ずつ配置されており、照射面における照度のむらが生じないように構成されている。このような構成・構造とすることにより、眼疲労や認知・判断力の低下が効果的に抑制されるものとなっている。すなわち、アームを湾曲した形状とすることにより圧迫感を生じさせず、照明ヘッドを平たく圧迫感がない形状とすることによって、真横から見たときに照射部や集光レンズ部分が直接見えないようになっている。さらに、白色光ＬＥＤパッケージの光を放射する側に半球状のレンズを設置すること��より、光がビーム状や絞り込んだ形状とならずに卓上（作業領域）に適度の範囲を照射しながら、かつ、不必要に拡散することもない。白色光ＬＥＤをマルチチップ型（一つのパッケージに青色ＬＥＤ素子を３個使用し、三角形に配置）としたことも光を適度に拡散させる効果がある。同心円状にならんだＬＥＤはどの円周上でも同程度になるように配置されているので、卓上の作業領域を十分カバーできる範囲をむらなく照射できる。また、集光レンズによりＬＥＤからの光の不必要な拡散を抑え、レンズプレートをスモーク加工し、さらに照射部が適度に覆われていることにより、ＬＥＤ光源からのまぶしさを感じにくくなっている。これらの効果により目に対する負担や不快感が低減されて、本発明の効果がより効果的に発揮される。【００２８】  ＬＥＤ素子３２は、サファイアベース窒化ガリウム系材料からなる青色発光するＬＥＤであり、４２５ｎｍ乃至４６５ｎｍに発光極大を有する光を放射し、実質的に近紫外線領域の光を放射しない。ＬＥＤ素子３２の光を放射する側をシリコン樹脂又はエポキシ樹脂などの合成樹脂製の透明な封入剤に封入したシリカ系の蛍光体（図示省略）で覆っている。青色発光したＬＥＤ素子３２からの青色光が前記蛍光体を励起してより波長の長い蛍光を発し、青色光と長波長の蛍光とが合成されて白色光を発する。シリカ系の蛍光体としては、母体となる結晶性無機化合物に発光中心となる付活剤を導入したものが使用でき、母体となる結晶と付活剤の組み合わせとしては、（「母体結晶：付活剤」の形で表す）、例えば、（Ｓｒ，Ｃａ，Ｂａ）２ＳｉＯ４：Ｅｕ系（黄色蛍光体）、（Ｂａ，Ｓｒ）２ＳｉＯ４：Ｅｕ系（黄色蛍光体）、Ｌａ３Ｓｉ６Ｎ１１：Ｃｅ系（黄色蛍光体）、（Ｃａ，Ｓｒ）２Ｓｉ５Ｎ８：Ｅｕ系（赤色蛍光体）、ＣａＡｌＳｉＮ３：Ｅｕ系（赤色蛍光体）、（Ｓｒ，Ｂａ）３ＳｉＯ５：Ｅｕ系（赤色蛍光体）、（Ｃａ，Ｓｒ）ＡｌＳｉＮ３：Ｅｕ系（赤色蛍光体）、（Ｂａ，Ｓｒ）２ＳｉＯ４：Ｅｕ系（緑色蛍光体）、Ｃａ３Ｓｃ２Ｓｉ３Ｏ１２：Ｃｅ系（緑色蛍光体）、Ｃａ３（Ｓｃ，Ｍｇ）２Ｓｉ３Ｏ１２：Ｃｅ系（緑色蛍光体）、（Ｓｒ，Ｂａ）ＳｉＯ２Ｎ２：Ｅｕ系（緑色蛍光体）、Ｂａ３Ｓｉ６Ｏ１２Ｎ２：Ｅｕ系（緑色蛍光体）、Ｃａｘ（Ｓｉ、Ａｌ）１２（Ｏ，Ｎ）１６：Ｅｕ系（橙色蛍光体）、（Ｂａ，Ｓｒ，Ｃａ）Ｓｉ２Ｏ２Ｎ２：Ｅｕ系（黄〜緑色蛍光体）、Ｃａ８ＭｇＳｉ４Ｏ１６Ｃ１２：Ｅｕ系（緑色蛍光体）などの基本組成を有するものを、１種または２種以上組み合わせて使用することができる。なお、各蛍光体の発光強度及び波長は、母体結晶の組成または付活剤の種類および濃度により調節でき、本発明に好ましい光を得ることができる。ＬＥＤ素子３２はそれぞれ白色光ＬＥＤに３個ずつ用いられ、この例では合計７２個のＬＥＤ素子を備えている。【００２９】  この照明ヘッド３からの白色光のスペクトルの一例を図５に示す。図５のスペクトルは、４３０ｎｍ付近に青色ＬＥＤ素子に起因する青色の第１のピーク（約１００μＷ／ｎｍ）と、６２０ｎｍ付近にブロードな橙色の第２のピーク（約２００μＷ／ｎｍ）を有し、さらに４９０ｎｍ付近に水色の肩部（約８０μＷ／ｎｍ）を形成している。【００３０】  こ��ような白色光ＬＥＤ光源を使用した本発明の照明装置の光は、以下の特徴を有している。
Ａ．第２のピークの分光エネルギー強度は、第１のピークに対して１乃至３倍、好ましくは、１．５乃至２．５倍、さらに好ましくは１．７乃至２．２倍が望ましく（試験に用いた実機では約２倍）、また、肩部に対して１乃至３倍、好ましくは１．５乃至２．５倍、さらに好ましくは１．７乃至２．２倍が望ましい（試験に用いた実機では、２倍強）。
Ｂ．照射される光は、電球色乃至昼光色で、好ましくは色温度２，５００Ｋ乃至４，０００Ｋが望ましい（試験に用いた実機では３，０２２Ｋ）。
Ｃ．平均演色評価数（Ｒａ）が９０以上、好ましくは９５以上であり（試験に用いた実機では９６．４を達成）、特殊演色評価数（Ｒ１乃至Ｒ１４）のいずれも８０以上、好ましくは９０以上（試験に用いた実機では９０．１以上を達成）の極めて演色性に優れたものが望ましい。
Ｄ．照度としては、例えば、照射部から４０ｃｍの距離において５００ルクス乃至２，５００ルクスの照度が得られるものが望ましい（試験に用いた実機では２，０００ルクス、集光レンズなしでは５８０ルクスである）。【００３１】  ＬＥＤ回路の構成の一例を、図６を用いて説明する。ＬＥＤ回路４０は、３個の青色ＬＥＤ素子３２−１１，３２−１２，３２−１３を並列に接続して白色ＬＥＤパッケージＤ１を形成し、このような白色ＬＥＤパッケージＤ１〜Ｄ６の６個を直列に接続して直列接続支Ｓ１を形成し、このような直列接続支Ｓ１〜Ｓ４を並列に接続して構成される。【００３２】  このＬＥＤ素子の駆動用電源装置の構成の一例を、図７を用いて説明する。駆動用電源装置５は、スイッチング安定化電源５１と、制御マイコン５３と、電流制限抵抗５５と、スイッチング素子５７とを備えて構成される。スイッチング安定化電源５１は、交流端子Ｔａｄを介して入力された交流入力を直列接続されたＬＥＤの点灯に必要な２４Ｖの直流電圧に変換するとともに、制御マイコン５３の動作に必要な直流５Ｖを供給する手段である。制御マイコン５３は、ＬＥＤのオンオフや調光を担当するマイコンである。スイッチング安定化電源５１の２４Ｖ出力には、電流制限抵抗５５が直列に接続され直流端子Ｔｄｃを介してＬＥＤ回路４０が接続される。制御マイコン５３の出力に接続されるスイッチング素子５７は、ＬＥＤ回路４０の電流をスイッチングする手段であり、ＬＥＤ回路４０の点灯／滅灯（消灯）および点灯時の通電率（デューティー比）を制御する。さらに、制御マイコン５３には、操作スイッチ１５が接続されており、ＬＥＤの動作電流を制御する。スイッチング安定化電源５１および制御マイコン５３は市販の部品を適宜使用することができる。【００３３】  図８のタイムチャートを用いて駆動用電源装置５の動作を説明する。図８の（Ａ）は、ＬＥＤの発光強度（照度）を示し、（Ｂ）は操作スイッチ１５の操作状態を示している。今時刻Ｔ０で操作スイッチ１５をオンにすると、制御マイコン５３が、スイッチング素子５７を通電状態とし、ＬＥＤ回路４０は、予め設定された最高照度に設定される。操作スイッチ１５を押し続けると、制御マイコン５３が、予め設定された時刻Ｔ１から予め設定された最低照度に向けてスイッチング素子５７の通電率を一定の割合で徐々に引き下げ時刻Ｔ２で最低照度に達する。制御マイコン５３が、時刻Ｔ２から予め設定された時刻Ｔ３までスイッチング素子５７の通電率を一定に保ち最低照度を維持する。時刻Ｔ３になると制御マイコン５３が、最高照度に向けてスイッチング素子５７の通電率を一定の割合で徐々に増加させ、ＬＥＤ回路４０は時刻Ｔ４で再び最高照度に達する。操作スイッチ１５をオンとしている限り制御マイコン５３が、時刻Ｔ０からＴ４までの明暗の点灯シーケンスをくり返す。例えば、時刻Ｔ６で操作スイッチ１５をオフとすると、これ以降、時刻Ｔ６の照度で照明が維持される。このようにして任意の照度を選択して照明することができる。ＬＥＤ回路４０を滅灯するには、時刻ｔ６以降の任意の時点で、再度操作スイッチ１５をオンオフすればよい。【００３４】  このような白色光ＬＥＤを光源とする照明装置は、ボランテ���ア試験の結果、以下のような効果を奏することが判明した。【００３５】  ［ボランティア試験の概要］
６名の被験者（２０代の健常人男女３名ずつ）に対し、本発明の白色光ＬＥＤ光源を用いた照明装置からの白色光または通常光環境下で９０分間読書を行った。読書前および読書開始から３０分ごと（３０分、６０分、９０分）に誘導電位測定装置により視覚誘導電位（Ｆ−ＶＥＰ  Ｐ１００波）および調覚誘導電位（Ｐ３００波）の出現潜時を測定した。各誘導電位の測定値について、経時的な変化を読書前と比較し、光源による眼疲労度、認知・判断力変化の比較を行った。各被験者には、本発明にかかる白色光ＬＥＤを光源とする光および通常光の両環境下でクロスオーバー法により実施した。すなわち、視作業および誘導電位の測定には、２回目以降慣れが生じる可能性が考えられたため、被験者の半数は、本発明にかかる白色ＬＥＤ光−通常光の順、残りの半数は、通常光−本発明にかかる白色ＬＥＤ光の順で実施した。その間１週間の間隔を設けた。作業場所の照度は２０００ルクスとした。通常光は、ツインバード工業株式会社製インバータ蛍光灯、ＫＬ−Ｈ５９９を用いた。窓を遮光して太陽光等外部の光の影響を受けないようにした。試験は午前中に実施した。被験者同士が与える影響を最小限に抑えられるよう、各作業スペースをパーティションで区切った。【００３６】  疲労誘導のための視作業として、読書を行った。書籍、読書スピードなどは特に統一しなかったが、原則として「日本語の文庫本で、１ページ当たりの行数が１６行程度のもの」を、被験者各自が持参し、各自のペースで読書した。【００３７】  ［誘導電位の測定］
誘導電位測定とは、ある刺激（光、パタ−ン、音など）に対する脳の反応を脳波として記録し脳の働きを調べるものである。ただし、この脳波は非常に弱いので、通常の脳波の波に埋もれて観察できない。そこで、刺激に伴って発生する脳波を複数回（今回の試験においては、視覚誘導は１００回、聴覚誘導は３０回）重ね合わせることによって、背景となる通常の脳波を消去し、刺激に対して反応した脳波のみを解析するものである。【００３８】  視覚による脳波は刺激からおよそ１００ミリ秒後に特有の波形を示しＰ１００波と呼ばれる下向きのピークとして観察される（今回の試験においては、視覚誘導電位として、閃光による刺激に対する反応（Ｆｌａｓｈ  Ｖｉｓｕａｌ  Ｅｖｏｋｅｄ  Ｐｏｔｅｎｔｉａｌ，Ｆ−ＶＥＰ）を測定した。）聴覚による脳波は刺激からおよそ３００ミリ秒後の特有の波形を示し、Ｐ３００波と呼ばれる下向きのピークとして観察される。眼疲労や認知・判断力が低下すると、刺激に対する脳の反応が影響を受け、これら特有ピークの出現時間（潜時）が遅れたりぶれたりする現象が観察されるようになるため、潜時を比較することで疲労度や認知度を客観的に判断することができる。この試験は、日本電気社製の「誘導電位測定装置ＳＹＮＡＸ  ＥＲ１１００」と、キセノンフラッシュ制御のために日本電気三栄社製の「多用途脳波計１Ａ９７Ａ」を用いて測定を行った。なお、誘導電位測定を行うに当たっては、特に資格は必要としない。【００３９】  ［誘導電位の測定方法の詳細］
１）  頭皮および耳朶に電極を装着した装着部分を７０％アルコール綿で拭き脱脂を行っ      た。装着部分および電極に装着用ペーストを塗り、電極を装着し、ガーゼで固定し      た。一人１０箇所に装着した。
２）  測定用ベッドに横になり、脳波により緊張の度合いをモニタしながら、リラックス      できた時点で各誘導電位を測定した。
３）  視覚誘導電位の測定は、眼前３０ｃｍにおいてキセノンフラッシュライトを１秒間      隔で計１００回点滅させた。被験者はその間安静にしていた。視覚誘導電位の測定      を２回行った。
４）  聴覚誘導電位は、ヘッドフォンを装着して測定した。およそ０．７秒間隔で一定の      周波数の音（プー）を発するが、不定期に周波数の異なる音（ピー）が混入する。      被験者がその混入した音（ピー）の混入回数を数えた。混入音に対して正常に反応      した回数が合計２０回になるまで継続した。この測定を２回行った。
５）  電極を装着したまま読書テーブルに移動し読書を開始した。
６）  ３０分おきに上記１）から５）を繰り返した、
７）  電極を取り外し、付着した電極装着用ペーストを７０％のアルコール綿で拭きとり      、測定を終了した。【００４０】  測定結果をもとに、誘導電子測定装置ＳＹＮＡＸＥＲ１１００を用いて視覚誘導によるＰ１００波の出現潜時、聴覚誘導によるＰ３００波の出現潜時を解析した。視作業後の各測定値をもとに、被験者ごとに、作業前の測定値に対する各時間における出現潜時の変化率を、下記数１式に従って算出した。すなわち、Ｐ１００波（Ｐ３００波）の出現潜時の変化率は、各時間の視作業後における出現潜時の測定値から視作業前の出現潜時の測定値を引いた値を視作業前の出現潜時の測定値で除したもので示される。【００４１】
【数１】
2012221937.tif 000003
【００４２】  ［眼疲労に対する本発明装置の効果］
作業後９０分までの視覚誘導電位（Ｆ−ＶＥＰ  Ｐ１００波）の出現潜時の変化率を表１に示す。【００４３】
【表１】
2012221937.tif 000004
【００４４】  作業後９０分後までのＦ−ＶＥＰ  Ｐ１００波の出現潜時変化のデータを表１に示した。Ｆ−ＶＥＰは光に対する脳の単純な反応であり、眼疲労によって起こるＰ１００波の出現潜時の変化は、視神経から大脳の視覚野への視覚信号の伝達速度の遅延ではなく、視覚野における反応時間がずれることによって起こるものである。したがって、多少の測定誤差を除いて、反応時間が大きく短縮されることは考え難く、長時間作業をしても出現潜時に変化が起こらないことが、眼疲労を低減していることを示唆していると捉えることができる。【００４５】  図９を用いて、視覚誘導電位（Ｆ−ＶＥＰ  Ｐ１００波）の変化率の解析結果を説明する。図９において、上段の図９（Ａ）は本発明の白色光ＬＥＤ光源を用いた場合のＦ−ＶＥＰ  Ｐ１００波の変化率を示し、下段の図９（Ｂ）は、通常光の場合のＦ−ＶＥＰ  Ｐ１００波の変化率を示している。データを解析した結果、前記数１式で示される視作業前の出現潜時を基準とした視作業後出現潜時（Ｆ−ＶＲＰ  Ｐ１００波）の変化率で比較した場合、多くの被験者で、本発明にかかるＬＥＤ光源を用いた照明光（本発明光）では通常光と比較して出現潜時の変化が小さく、変化率は大きくても５％であった。一方、通常光を用いた場合、作業前に対するＦ−ＶＥＰ  Ｐ１００波の出現潜時の変化率の変動は大きく、１０％程度にまでなる場合があった（図９（Ｂ）参照）。本発明のＬＥＤ光源を用いた場合、通常光源を用いた場合よりもＦ−ＶＥＰ  Ｐ１００波の出現潜時の変化率は「０」に近いところで推移しており（図９（Ａ）参照）、被験者間でのばらつきも小さい傾向にあった。この結果は、本発明光は眼疲労を起こしにくいという特徴を有することを示唆している。【００４６】  ［認知・判断力低下に対する本発明聡明装置の効果］
作業後９０分までの聴覚誘導電位（Ｐ３００波）の出現潜時の変化率を表２に示した。【００４７】
【表２】
2012221937.tif 000005
【００４８】  図１０を用いて、聴覚誘導電位（Ｐ３００波）の変化率の解析結果を説明する。図１０において、上段の図１０（Ａ）は本発明の白色光ＬＥＤ光源を用いた場合のＰ３００波の出現潜時の変化率を示し、下段の図１０（Ｂ）は、通常光の場合のＰ３００波の出現潜時の変化率を示している。聴覚誘導電位（Ｐ３００波）は、脳の高次機能を見るもので、大脳皮質の一次聴覚野に達した聴覚信号が、二次感覚野である程度の意味を自動的に判断し、連合野に至るまでの時間を見るものであり、認知・判断力の低下により、出現潜時が遅延する傾向が強い。Ｐ３００波について両光源間でのデータを解析した結果、視作業前の出現潜時を基準とした視作業後の出現潜時の変化率で比較した場合、通常光の場合は、Ｐ３００波の出現潜時の変化率が「０」より大きくなる、すなわち遅延が増大する傾向を示した（図１０（Ｂ）参照）のに対し、本発明光では通常光と比較して、視作業開始から９０分後まで聴覚誘導電位（Ｐ３００波）の出現潜時の変化率が明らかに小さく（すなわち、遅延が小さい）、特に６０分後まではその差が顕著であった（図１０（Ａ）参照）。この結果は、本発明光は聴覚を介した認知・判断力の低下を起こしにくいという特徴を有することを示唆している。【００４９】  すなわち、本発明によれば、ヒトの視覚誘導電位（Ｆ−ＶＥＰ  Ｐ１００波）の出現潜時の変化および／または聴覚誘導電位（Ｐ３００波）の遅延を実質的に増大させないことができる。【００５０】  以上の結果から、本発明光環境下では、通常の蛍光灯と比べてＦ−ＶＥＰ  Ｐ１００波の出現潜時のぶれが小さく、Ｐ３００波の出現潜時の遅延が小さいことから、眼疲労や聴覚を介した認知・判断力低下が低減しやすいことが示唆された。【００５１】  以上の説明では、本発明のＬＥＤ光源を用いた照明装置として、卓上照明装置を例にとって説明したが、本発明は、本発明光の働きからみて卓上照明装置にかかわらず他の室内照明や屋外照明にも当然に適用でき、その効果も同様に期待できる。【００５２】  〈比較例〉
特許文献４の実施例１〈実験１〉で用いたものと同じ、３２０ｎｍ乃至３８０ｎｍの近紫外線を可視光の放射エネルギーに対して５％含有する照明装置を対照に用い、上記ボランティア試験と同様に、眼疲労に対する影響を調べ、本発明の照明装置と比較した。結果を表３および図１１示した。図１１において、上段の図１１（Ａ）は本発明の白色光ＬＥＤ光源を用いた場合のＦ−ＶＥＰ  Ｐ１００波の出現潜時の変化率を示し、下段の図１１（Ｂ）は、特許文献４の実施例１〈実験１〉で用いたものと同じ対照光の場合のＦ−ＶＥＰ  Ｐ１００波の出現潜時の変化率を示している。【００５３】
【表３】
2012221937.tif 000006
【００５４】  表３および図１１をみると、本発明の装置を用いた場合、近紫外線成分を含む対照光を用いた場合よりも、視覚誘導電位（Ｆ−ＶＥＰ  Ｐ１００波）の出現潜時の変化率が小さかった。このことは、本発明の照明装置は、近紫外線を含む光を放射する照明装置と比較して、眼疲労を起こしにくい効果が強いことを示唆している。【００５５】  すなわち、特許文献４においては、実施例２において、眼疲労を起こしにくい効果も奏すると考えられることが記載されているが、本願発明の照明装置との相違点は、下記Ａ、Ｂ、Ｃが挙げられる。
Ａ．特許文献４の実施例２の実施態様１の照明は、紫外線〜近紫外線を励起光とし、青、緑、赤の蛍光体を発光させたものであること。
Ｂ．近紫外光を含むこと。
Ｃ．卓上照明として、眼疲労や認知判断力低下を効果的に抑制するための構造・構成とすることについては開示がないこと。
本願発明の照明装置については、図１〜図４に示すような構造・構成とすることによって、Ｆ−ＶＥＰ  Ｐ１００波の変化率の低減に効果がみられ、眼疲労を起こしにくい効果が強いことを示唆している。
【符号の説明】
【００５６】１：基台
１１：基盤
１３：アーム取付部
１５：操作スイッチ
１７：ターンテーブル機構
２：アーム
２１：中空状の管
２３：電線
３：照明ヘッド
３１：集光レンズプレート
３２：ＬＥＤ素子
３３：集光レンズ
３５：ヘッドカバー
３７：アーム取付け部
３９：固定穴
４０：ＬＥＤ回路
５：駆動用電源装置
５１：スイッチング安定化電源
５３：制御マイコン
５５：電流制限抵抗
５７：スイッチング素子
【図１】
2012221937.tif 000007
【図２】
2012221937.tif 000008
【図３】
2012221937.tif 000009
【図４】
2012221937.tif 000010
【図５】
2012221937.tif 000011
【図６】
2012221937.tif 000012
【図７】
2012221937.tif 000013
【図８】
2012221937.tif 000014
【図９】
2012221937.tif 000015
【図１０】
2012221937.tif 000016
【図１１】
2012221937.tif 000017